(57)【要約】  オーディオ再生装置と通信を行う通信部と、オーディオデータに対して音質調整を施す音質調整部と、オーディオ再生装置が音質調整機能を有するか否かを、所定のプロトコルに基づく通信の通信結果に応じて判別し、判別結果に応じて音質調整部の音質調整機能をオンまたはオフする制御部とを有する端末装置である。図３
2018168209.tif 000002
【特許請求の範囲】
【請求項１】
オーディオ再生装置と通信を行う通信部と、
オーディオデータに対して音質調整を施す音質調整部と、
前記オーディオ再生装置が音質調整機能を有するか否かを、所定のプロトコルに基づく通信の通信結果に応じて判別し、判別結果に応じて前記音質調整部の音質調整機能をオンまたはオフする制御部と
を有する端末装置。
【請求項２】
前記制御部により前記音質調整部の音質調整機能のオン／オフが決定された後、前記通信部は、前記音質調整機能を施した前記オーディオデータまたは前記音質調整機能を施していない前記オーディオデータを、前記オーディオ再生装置に伝送する
請求項１に記載の端末装置。
【請求項３】
前記制御部は、オーディオデータの再生を指示する操作に応じて、前記オーディオ再生装置が音質調整機能を有するか否かを判断する
請求項１に記載の端末装置。
【請求項４】
表示部を有し、
前記音質調整機能がオフされた状態で前記オーディオ再生装置との接続が確立している間は、前記表示部には、前記オーディオ再生装置の音質調整設定画面が表示される
請求項１に記載の端末装置。
【請求項５】
オーディオデータ再生部を有する
請求項１に記載の端末装置。
【請求項６】
通信部が、オーディオ再生装置と通信を行い、
音質調整部が、オーディオデータに対して音質調整を施し、
制御部が、前記オーディオ再生装置が音質調整機能を有するか否かを、所定のプロトコルに基づく通信の通信結果に応じて判別し、判別結果に応じて前記音質調整部の音質調整機能をオンまたはオフする
制御方法。
【請求項７】
端末装置と、前記端末装置と接続されるオーディオ再生装置とを有し、
前記端末装置は、
前記オーディオ再生装置と通信を行う第１の通信部と、
オーディオデータに対して音質調整を施す音質調整部と、
前記オーディオ再生装置が音質調整機能を有するか否かを、所定のプロトコルに基づく通信の通信結果に応じて判別し、前記音質調整部の音質調整機能をオンまたはオフする制御部とを有し、
前記制御部により前記音質調整部の音質調整機能のオンまたはオフが決定された後、前記通信部は、前記音質調整機能を施した前記オーディオデータまたは前記音質調整機能を施していない前記オーディオデータを、前記オーディオ再生装置に伝送し、
前記オーディオ再生装置は、
前記端末装置と通信を行う第２の通信部と、
前記端末装置から伝送されるオーディオデータを再生するオーディオデータ再生部を有する
オーディオデータ再生システム。
【発明の詳細な説明】
【技術分野】
【０００１】
本開示は、端末装置、制御方法及びオーディオデータ再生システムに関する。
【背景技術】
【０００２】
従来から、機器間でオーディオデータを伝送する技術が提案されている（例えば、特許文献１を参照のこと）。
【先行技術文献】
【特許文献】
【０００３】
【特許文献１】特許５１２０４７４号公報
【発明の概要】
【発明が解決しようとする課題】
【０００４】
機器間でオーディオデータを伝送する場合に、送信側の機器でオーディオデータに対する音質調整が施され、受信側の機器でもオーディオデータに対する音質調整が施された場合には、オーディオデータに対する２重の音質調整が施されてしまい、ユーザの意図しない音質での再生となってしまうおそれがある。【０００５】
したがって、本開示は、オーディオデータに対する２重の音質調整が施されることにより、オーディオデータがユーザの意図しない音質で再生されてしまうことを防止する端末装置、制御方法及びオーディオデータ再生システムを提供することを目的の一つとする。
【課題を解決するための手段】
【０００６】
本開示は、例えば、
オーディオ再生装置と通信を行う通信部と、
オーディオデータに対して音質調整を施す音質調整部と、
オーディオ再生装置が音質調整機能を有するか否かを、所定のプロトコルに基づく通信の通信結果に応じて判別し、判別結果に応じて音質調整部の音質調整機能をオンまたはオフする制御部と
を有する端末装置である。【０００７】
本開示は、例えば、
通信部が、オーディオ再生装置と通信を行い、
音質調整部が、オーディオデータに対して音質調整を施し、
制御部が、オーディオ再生装置が音質調整機能を有するか否かを、所定のプロトコルに基づく通信の通信結果に応じて判別し、判別結果に応じて音質調整部の音質調整機能をオンまたはオフする
制御方法である。【０００８】
本開示は、例えば、
端末装置と、端末装置と接続されるオーディオ再生装置とを有し、
端末装置は、
オーディオ再生装置と通信を行う第１の通信部と、
オーディオデータに対して音質調整を施す音質調整部と、
オーディオ再生装置が音質調整機能を有するか否かを、所定のプロトコルに基づく通信の通信結果に応じて判別し、音質調整部の音質調整機能をオンまたはオフする制御部とを有し、
制御部により音質調整部の音質調整機能のオンまたはオフが決定された後、通信部は、音質調整機能を施したオーディオデータまたは音質調整機能を施していないオーディオデータを、オーディオ再生装置に伝送し、
オーディオ再生装置は、
端末装置と通信を行う第２の通信部と、
端末装置から伝送されるオーディオデータを再生するオーディオデータ再生部を有する
オーディオデータ再生システムである。
【発明の効果】
【０００９】
本開示の少なくとも実施形態によれば、オーディオデータに対する２重の音質調整が施されることにより、オーディオデータがユーザの意図しない音質で再生されてしまうことを防止することができる。なお、ここに記載された効果は必ずしも限定されるものではなく、本開示中に記載されたいずれの効果であってもよい。また、例示された効果により本開示の内容が限定して解釈されるものではない。
【図面の簡単な説明】
【００１０】
【図１】図１は、一実施形態に係るオーディオデータ再生システムの構成例を示す図である。
【図２】図２は、一実施形態に係る端末装置の構成例を示すブロック図である。
【図３】図３は、一実施形態に係る端末装置で行われる処理の流れを示すフローチャートである。
【発明を実施するための形態】
【００１１】
以下、本開示の実施形態等について図面を参照しながら説明する。なお、説明は以下の順序で行う。
＜１．一実施形態＞
＜２．変形例＞
以下に説明する実施形態等は本開示の好適な具体例であり、本開示の内容がこれらの実施形態等に限定されるものではない。
【００１２】
＜１．一実施形態＞
［オーディオデータ再生システムの構成例］
図１は、本開示の一実施形態に係るオーディオデータ再生システム１の構成例を示している。オーディオデータ再生システム１は、例えば、端末装置としてのモバイル機器２と、オーディオ再生装置３とを有している。
【００１３】
モバイル機器２としては、スマートフォン、可搬型のパーソナルコンピュータ、携帯型のオーディオプレーヤ等を挙げることができる。モバイル機器２は、オーディオデータに対して音質調整を施す音質調整機能２ａを有している。音質調整機能２ａとしては、イコライザ、音場調整、効果音付与、ハードウェアに最適な音質とする機能等を挙げることができる。音質調整機能２ａは、もともとモバイル機器２の付与されている機能でも良いし、モバイル機器２に対して所定のアプリケーションがインストールされることにより付与される機能であっても良い。
【００１４】
オーディオ再生装置３としては、可搬型のスピーカ装置、モバイル機器等を挙げることができる。オーディオ再生装置３は、例えばモバイル機器２から伝送（送信）されるオーディオデータを再生する機能を有している。また、オーディオ再生装置３は、例えばモバイル機器２から伝送（送信）されるオーディオデータに対して音質調整を施す音質調整機能３ａを有している。音質調整機能３ａとしては、イコライザ、音場調整、効果音付与、ハードウェアに最適な音質とする機能等を挙げることができる。なお、オーディオ再生装置３は、音質調整機能３ａを有していない場合も想定される。なお、モバイル機器２が有する音質調整機能２ａとオーディオ再生装置３が有する音質調整機能３ａとが異なっていてもよい。
【００１５】
モバイル機器２とオーディオ再生装置３との間で所定の通信規格に基づく通信（例えば、近距離無線通信）が行われる。所定の通信規格に基づく通信としては、ブルートゥース（Bluetooth（登録商標））やワイファイ（Wi-Fi（登録商標））を挙げることができる。なお、モバイル機器２とオーディオ再生装置３との間で、有線に基づく通信が行われても良い。
【００１６】
［端末装置の構成例］
図２は、モバイル機器２の構成例を示すブロック図である。モバイル機器２は、制御部の一例であるＣＰＵ（Central Processing Unit）１１と、ＲＯＭ(Read Only Memory)／ＲＡＭ(Random Access Memory)１２と、ＥＥＰＲＯＭ（Electrically Erasable Programmable Read Only Memory）１３と、入力Ｉ／Ｆ（Interface）１４と、操作入力部１５と、表示Ｉ／Ｆ１６と、表示部１７と、通信部２１と、アンテナ等の通信入出力部２２と、オーディオ入力端子（Ａｕｄｉｏ  Ｉｎ）２３と、ＤＳＰ(Digital Signal Processor)２４と、Ｄ／Ａ（Digital to Analog）２５と、アンプ（ＡＭＰ）２６と、スピーカ２７Ｌ及びスピーカ２７Ｒとを有している。ＣＰＵ１１と、ＲＯＭ／ＲＡＭ１２と、ＥＥＰＲＯＭ１３と、入力Ｉ／Ｆ１４と、表示Ｉ／Ｆ１６と、表示部１７と、通信部２１とが、バスＢＳを介して相互に接続されている。
【００１７】
ＣＰＵ１１は、モバイル機器２の各部を制御する。詳細は後述するが、ＣＰＵ１１は、オーディオ再生装置３が音質調整機能３ａを有するか否かを、所定のプロトコルに基づく通信の通信結果に応じて判別し、判別結果に応じて音質調整機能２ａをオンまたはオフする。
【００１８】
ＲＯＭ／ＲＡＭ１２は、ＲＯＭ及びＲＡＭを総称したものである。ＲＯＭにはＣＰＵ１１が実行するプログラムが格納されている。ＲＡＭは、ＣＰＵ１１がプログラムを実行する際のワークエリアとして使用される他に、オーディオデータのバッファメモリとして使用される。ＥＥＰＲＯＭ１３は、モバイル機器２の設定に関する情報等を記憶するものである。
【００１９】
入力Ｉ／Ｆ１４は、操作入力部１５からの操作信号をＣＰＵ１１等に出力するためのインタフェースである。操作入力部１５は、キーやタッチパネル、音声、ジェスチャ等によるユーザの操作を受け付ける構成を総称したものである。操作入力部１５により受け付けられた操作に応じて操作信号が生成され、生成された操作信号が入力Ｉ／Ｆ１４を介してＣＰＵ１１に送信される。ＣＰＵ１１は操作信号に応じた制御を実行する。
【００２０】
表示Ｉ／Ｆ１６は、表示に関する表示制御信号を表示部１７に対して出力するインタフェースである。表示部１７は、表示Ｉ／Ｆ１６を介して供給される表示制御信号に応じた制御を行う。表示部１７としては、例えば、ＬＣＤ(Liquid Crystal Display)や有機ＥＬ(Electro Luminescence)を挙げることができる。表示部１７がタッチパネルとして構成されてもよく、タッチパネルを使用した操作信号が表示Ｉ／Ｆ１６を介してＣＰＵ１１に供給されるようにしてもよい。
【００２１】
通信部２１は、ＣＰＵ１１の制御に応じてオーディオ再生装置３とブルートゥースに基づく通信及び専用プロトコルに基づく通信を行う。また、通信部２１は、ＣＰＵ１１の制御に応じてオーディオ再生装置３と通信を行い、オーディオ再生装置３に対してオーディオデータを送信する。通信入出力部２２は、上述したように通信を行うためのアンテナ等である。
【００２２】
オーディオ入力端子２３は、オーディオデータが入力される端子である。オーディオデータ入力端子には、ＣＤ（Compact Disc）やＤＶＤ(Digital Versatile Disc)、半導体メモリ、インターネット等を介して取得されたオーディオデータが入力される。
【００２３】
音質調整部としてのＤＳＰ２４は、オーディオデータに対して音質調整機能２ａに基づくデジタル信号処理を行う。オーディオ入力端子２３等を介して入力されるオーディオデータがアナログオーディオデータである場合には、例えば、ＤＳＰ２４が有するＡ／Ｄ(Analog to Digital)変換機能により当該オーディオデータがデジタルオーディオデータに変換される。
【００２４】
Ｄ／Ａ２５は、ＤＳＰ２４による信号処理が施されたオーディオデータをアナログオーディオデータに変換する。Ｄ／Ａ２５の出力がアンプ２６に供給される。アンプ２６により所定の増幅率でもって増幅されたオーディオデータがスピーカ２７Ｌ、２７Ｒから再生される。例えば、ＤＳＰ２４、Ｄ／Ａ２５、アンプ２６及びスピーカ２７Ｌ、２７Ｒによりオーディオデータを再生するためのオーディオデータ再生部が構成される。
【００２５】
なお、モバイル機器２は、内蔵及び着脱自在のメモリの少なくとも一方のメモリを有しており、当該メモリには、オーディオ再生装置３に伝送するためのオーディオデータが記憶されている。オーディオ入力端子２３から入力されたオーディオデータをオーディオ再生装置３に伝送してもよい。
【００２６】
以上説明した構成例は、オーディオ再生装置３にも適用することができる。もちろん、モバイル機器２とオーディオ再生装置３の構成（例えば、構成の有無、個々の構成要素の物理的な大きさ等）は異なっていてもよい。例えば、オーディオ再生装置３は、表示部１７を有していなくても良い。
【００２７】
［オーディオデータ再生システムにおいて考慮すべき問題］
次に、オーディオデータ再生システムにおいて考慮すべき問題について説明する。音質調整機能２ａを有しているモバイル機器２の音楽プレーヤアプリケーションにおいて、ブルートゥースを使用してオーディオ再生装置３と接続した場合、オーディオ再生装置３が音質調整機能３ａを有する場合がある。このような場合、設定状況によっては、モバイル機器２側で音質調整機能２ａがオーディオデータに施されて伝送される一方、伝送されたオーディオデータに対してオーディオ再生装置３側でも音質調整機能３ａが施されてしまう。すなわち、オーディオデータに対して２重に音質調整機能がかかってしまい、ユーザの意図しない音質でオーディオデータが再生されてしまうおそれがある。
【００２８】
ユーザにとって、接続ごとにモバイル機器２側若しくはオーディオ再生装置３側の音質調整機能を設定しなおすことは非常に煩雑な操作となってしまい現実的ではない。また、オーディオ再生装置３側が音質調整機能３ａを有しているかどうかをユーザが意識、確認しなければならず、場合によっては知らないうちに音質調整機能の２重がけ状態となり、意図しない悪い音質で音楽を視聴をしてしまうことにもなるおそれがある。
【００２９】
そこで、本実施形態では、ブルートゥースによる通信に加え、専用プロトコルによる通信を行い、モバイル機器２（モバイル機器２が有するアプリケーション）とオーディオ再生装置３とが通信可能であるか否かを判別し、専用プロトコルに対応したオーディオ再生装置３であれば当該装置が音質調整機能３ａを有しているものとみなしてモバイル機器２（アプリ側）の音質調整機能２ａを自動でオフにする。また、対象機器との接続が解除されれば、音質調整機能２ａのオフ状態を自動で解除するという機能を有するようにした。
【００３０】
［一実施形態における処理］
図３は、一実施形態に係るモバイル機器２における処理の流れを示すフローチャートである。なお、本例では、モバイル機器２にインストールされたアプリケーションが音質調整機能２ａを有しているものとして説明する。また、アプリケーション上、２状態（Pause状態（オーディオ再生がなされていない状態）及びPlay状態（オーディオ再生がなされている状態））間で状態遷移がなされるものとして説明する。
【００３１】
例えば、初期の状態はPause状態であるとする（ステップＳＴ１１）。そして、処理がステップＳＴ１２に進む。ステップＳＴ１２では、音楽の再生を指示する操作がなされる。例えば、Playボタン（タッチパネル上のボタンでも良いし、メカニカルなボタンでも良い）が押下される。そして、処理がステップＳＴ１３に進む。
【００３２】
ステップＳＴ１３は、モバイル機器２の通信部２１がＡ２ＤＰ（Advanced Audio Distribution Profile）で出力しているか否かがＣＰＵ１１により判断される。なお、Ａ２ＤＰとは、ブルートゥースを使用して高品質なオーディオデータを伝送するためのプロファイル群である。ステップＳＴ１３の結果が否定判断であれば、処理がステップＳＴ１４に進む。
【００３３】
ステップＳＴ１４では、Ａ２ＤＰで出力していない、換言すれば、他の機器（例えば、オーディオ再生装置３）と通信を行っていないことから、モバイル機器２側でのオーディオデータの再生が指示されたものとＣＰＵ１１は判断する。この場合には、オーディオデータに対して音質調整機能が２重にかけられるおそれがないことから、ＣＰＵ１１は音質調整機能２ａをオンするようにＤＳＰ２４に指示する。そして、ＤＳＰ２４により音質調整機能２ａが施されたオーディオデータがモバイル機器２側で再生される。
【００３４】
ステップＳＴ１３において、モバイル機器２の通信部２１がＡ２ＤＰで出力している場合には、処理がステップＳＴ１５に進む。ステップＳＴ１５では、モバイル機器２とオーディオ再生装置３とが、アプリケーションの専用プロトコルで接続中であるか否かが判断される。モバイル機器２とオーディオ再生装置３とが、アプリケーションの専用プロトコルで接続中である（通信している）場合には、モバイル機器２のＣＰＵ１１は、オーディオ再生装置３側が音質調整機能３ａを有しているものと判断する。また、アプリケーションの専用プロトコルで接続していない（通信していない）場合には、モバイル機器２のＣＰＵ１１は、オーディオ再生装置３側が音質調整機能３ａを有していないものと判断する。
【００３５】
ステップＳＴ１５で、モバイル機器２とオーディオ再生装置３とが、アプリケーションの専用プロトコルで接続している場合には、処理がステップＳＴ１６に進む。この場合は、モバイル機器２のＣＰＵ１１は、オーディオ再生装置３が音質調整機能３ａを有していると判断し、アプリケーションの音質調整機能２ａ（音質設定）をオフにした状態でオーディオデータを適宜デコードし、デコードしたオーディオデータをＡ２ＤＰで伝送する。そして、処理がステップＳＴ１７に進む。
【００３６】
ステップＳＴ１７では、モバイル機器２から伝送されたオーディオデータが、オーディオ機器側のオーディオ再生装置３で受信される。伝送されたオーディオデータに対して音質調整機能３ａが施される。音質調整機能３ａが施されたオーディオデータに対応する音楽がオーディオ再生装置３から再生される（音が出力される）。
【００３７】
ステップＳＴ１５で、モバイル機器２とオーディオ再生装置３とが、アプリケーションの専用プロトコルで接続していない場合には、処理がステップＳＴ１８に進む。この場合は、モバイル機器２のＣＰＵ１１は、オーディオ再生装置３が音質調整機能３ａを有していないと判断し、アプリケーションの音質調整機能２ａ（音質設定）をオンにした状態で、オーディオデータを適宜デコードし、デコードしたオーディオデータをＡ２ＤＰで伝送する。そして、処理がステップＳＴ１９に進む。
【００３８】
ステップＳＴ１９では、モバイル機器２側で音質調整機能２ａが施され、モバイル機器２から伝送されたオーディオデータが、オーディオ機器側のオーディオ再生装置３で受信される。伝送されたオーディオデータに対応する音楽がオーディオ再生装置３から再生される（音が出力される）。
【００３９】
本実施形態では、対象オーディオ機器（例えば、オーディオ再生装置３）との接続・切断を正確に１００％検知することはプロトコル的に難しく、Play/Pauseのタイミングで接続中か否かをもって音質調整機能のオン／オフを切り替えられるようにした。
【００４０】
なお、本実施形態では、オーディオ再生装置３の音質調整機能３ａの有無を取得するプロトコルが定義されていない場合を考慮して、専用プロトコルによる通信が可能であるか否かを判断材料とした。そして、専用プロトコルによる通信が可能である場合には、音楽プレーヤアプリケーションの対応機器であり、当該機器が音質調整機能を有しているものと判断するようにした。なお、オーディオ再生装置３の音質調整機能３ａの有無を取得するプロトコルが定義される場合には、音質調整機能の有無を取得した結果に応じて、モバイル機器２側の音質調整機能２ａのオン／オフを切り替えるようにしてもよい。
【００４１】
［一実施形態における効果］
本実施形態によれば、ユーザが意識して操作することなく、機器間の接続状態に合わせた音質で音楽を視聴することが可能となる。また、オーディオデータに対して２重の音質調整が施され、当該オーディオデータが再生されてしまうことを防止することができる。
【００４２】
＜２．変形例＞
以上、本開示の一実施形態について具体的に説明したが、本開示の内容は上述した一実施形態に限定されるものではなく、本開示の技術的思想に基づく各種の変形が可能である。
【００４３】
モバイル機器にインストールされた音楽プレーヤアプリケーションがオーディオ再生装置に対するリモートコントロール機能を有し、オーディオ再生装置側の音質調整機能に関する設定を変更できる機能を有している場合もある。一方でモバイル機器側の音質調整機能に関する設定も変更することが可能である。すなわち、両音質調整機能が有効となっていると、モバイル機器のアプリケーション上の画面に２個の音質調整機能の設定画面が表示されてしまい、ユーザが混乱するおそれがある。そこで、モバイル機器とオーディオ機器とが接続中であるとき（例えば、モバイル機器の音質調整機能がオフされ、モバイル機器とオーディオ機器とが接続中であるとき）には、画面上はオーディオ再生装置の音質調整に関する設定画面しか表示されないようにしてもよい。これによりユーザが迷うことなく音質調整機能の設定を行うことができるようになる。
【００４４】
上述の実施形態において挙げた構成、方法、工程、形状、材料及び数値などはあくまでも例に過ぎず、必要に応じてこれと異なる構成、方法、工程、形状、材料及び数値などを用いてもよい。上述した実施形態および変形例は、適宜組み合わせることができる。
【００４５】
本開示は、以下の構成も採ることができる。
（１）
オーディオ再生装置と通信を行う通信部と、
オーディオデータに対して音質調整を施す音質調整部と、
前記オーディオ再生装置が音質調整機能を有するか否かを、所定のプロトコルに基づく通信の通信結果に応じて判別し、判別結果に応じて前記音質調整部の音質調整機能をオンまたはオフする制御部と
を有する端末装置。
（２）
前記制御部により前記音質調整部の音質調整機能のオン／オフが決定された後、前記通信部は、前記音質調整機能を施した前記オーディオデータまたは前記音質調整機能を施していない前記オーディオデータを、前記オーディオ再生装置に伝送する
（１）に記載の端末装置。
（３）
前記制御部は、オーディオデータの再生を指示する操作に応じて、前記オーディオ再生装置が音質調整機能を有するか否かを判断する
（１）または（２）に記載の端末装置。
（４）
表示部を有し、
前記音質調整機能がオフされた状態で前記オーディオ再生装置との接続が確立している間は、前記表示部には、前記オーディオ再生装置の音質調整設定画面が表示される
（１）〜（３）のいずれかに記載の端末装置。
（５）
オーディオデータ再生部を有する
（１）〜（４）のいずれかに記載の端末装置。
（６）
通信部が、オーディオ再生装置と通信を行い、
音質調整部が、オーディオデータに対して音質調整を施し、
制御部が、前記オーディオ再生装置が音質調整機能を有するか否かを、所定のプロトコルに基づく通信の通信結果に応じて判別し、判別結果に応じて前記音質調整部の音質調整機能をオンまたはオフする
制御方法。
（７）
端末装置と、前記端末装置と接続されるオーディオ再生装置とを有し、
前記端末装置は、
前記オーディオ再生装置と通信を行う第１の通信部と、
オーディオデータに対して音質調整を施す音質調整部と、
前記オーディオ再生装置が音質調整機能を有するか否かを、所定のプロトコルに基づく通信の通信結果に応じて判別し、前記音質調整部の音質調整機能をオンまたはオフする制御部とを有し、
前記制御部により前記音質調整部の音質調整機能のオンまたはオフが決定された後、前記通信部は、前記音質調整機能を施した前記オーディオデータまたは前記音質調整機能を施していない前記オーディオデータを、前記オーディオ再生装置に伝送し、
前記オーディオ再生装置は、
前記端末装置と通信を行う第２の通信部と、
前記端末装置から伝送されるオーディオデータを再生するオーディオデータ再生部を有する
オーディオデータ再生システム。
【符号の説明】
【００４６】
１・・・オーディオデータ再生システム、１１・・・ＣＰＵ、２１・・・通信部、２４・・・ＤＳＰ
【図１】
2018168209.tif 000003
【図２】
2018168209.tif 000004
【図３】
2018168209.tif 000005
【国際調査報告】
2018168209.tif 000006
2018168209.tif 000007
2018168209.tif 000008